(57)【特許請求の範囲】
【請求項１】
カバー取付ネジによって框の見込み面に取り付けられるカバーと、
操作部の操作に応じて中心軸回りに回転する角軸が自身の貫通孔を貫通するよう、前記カバーに取り付けられたベースの収納部に収納されて設けられ、かつ前記角軸とともに回転するギアと、
前記ベースに対向するよう設けられ、かつ一部が屈曲されることで構成された屈曲片が前記ギアの周端部に形成された歯と噛合することで該ギアの回転に応じてスライド移動するスライダと
を備え、
前記スライダのスライド移動により開口枠に対して係合状態と非係合状態とに切り替えるようにした錠装置であって、
前記スライダは、前記ギアを貫通した前記角軸の先端部が挿通する挿通孔を有して成り、
前記収納部を構成し、かつ前記ギアと前記スライダとの互いに対向する面の間に介在してこれらが互いに接することを規制する規制部を備えたことを特徴とする錠装置。
【請求項２】
前記挿通孔は、前記スライダのスライド移動方向に長尺な長孔形状を有し、
前記規制部は、前記スライダのスライド移動方向の一方側及び他方側に向けてそれぞれ突出するよう設けたことを特徴とする請求項１に記載の錠装置。
【請求項３】
開口枠と框との間に請求項１又は請求項２に記載の錠装置を適用したことを特徴とする建具。
【発明の詳細な説明】
【技術分野】
【０００１】
本発明は、錠装置及びこの錠装置を適用した建具に関するものである。
【背景技術】
【０００２】
開口枠に対してガラス窓や扉等の障子を開閉可能に支持させた建具には、開口枠と障子との間に複数の係合手段を備え、障子の框に設けられたハンドルの操作により、これらの係合手段を同時に係合状態と非係合状態とに切り替えるようにした錠装置を備えるものがある。
【０００３】
例えば、障子の戸先側に位置する縦框と開口枠との間に上下２つの係合手段を備える錠装置では、戸先側に位置する縦框の内部に作動機構が設けられている。作動機構は、縦框に設けたハンドルによって操作されるもので、２つの係合手段の間に配設されている。作動機構には、ギア及びスライダが設けられている。
【０００４】
ギアは、円板状を成し、その周端部に歯が形成されている。このギアの中心部には角状の貫通孔が形成されており、この貫通孔をハンドルに連結された角軸が貫通している。ここで角軸は、ハンドルの操作に応じて自身の中心軸回りに回転するものであり、これによりギアも角軸とともに回転することになる。
【０００５】
スライダは、ギアに形成された歯の一部と噛合し、該ギアの回転に応じて、すなわちハンドルの操作に応じて縦框に対して上下方向に沿ってスライド移動されるものである。スライダは、各係合手段に連係されており、上下方向にスライド移動することにより係合手段を同時に切替動作させることができる。
【０００６】
上記のように構成された錠装置では、開口枠に対して障子を閉じた状態からハンドルを一方側に操作すると、ギアが角軸とともに回転してスライダが縦框に対して例えば上方に向けてスライド移動し、２つの係合手段がそれぞれ開口枠に係合した係合状態となり、開口枠に対して障子を閉じた状態に維持することができる。一方、上述の状態からハンドルを他方側に操作すると、ギアが角軸とともに回転してスライダが縦框に対して例えば下方に向けてスライド移動し、２つの係合手段がそれぞれ開口枠から解除された非係合状態となる。従って、障子を開方向に移動させれば、開口枠に対して障子を開けることができるようになる。
【０００７】
この種の錠装置を備えた建具によれば、開口枠に対して障子が複数個所で係合した状態になるため、堅牢性を高めることができるばかりでなく、適用する構造物の気密性を向上させることができる。
【０００８】
上述した錠装置では、操作部であるハンドルが縦框の室内側の見付け面に取り付けられており、作動機構を構成するスライダが該縦框の見込み面部外側に設けられていた（例えば、特許文献１参照）。
【先行技術文献】
【特許文献】
【０００９】
【特許文献１】特開２００８−２３１８３２号公報
【発明の概要】
【発明が解決しようとする課題】
【００１０】
ところで、上述したような錠装置とは異なり、操作部であるハンドルが戸先側に位置する縦框（戸先框）の見込み面部内側に取り付けられた錠装置も知られている。
【００１１】
このような錠装置では、上述した特許文献１の構成を採用することができず、ハンドル、ギア及びスライダが該縦框の内側（面内方向内側）から外側（面内方向外側）に向けて略直線上に配置されることとなる。ここで、角軸はその製造上の観点より、先端部よりも中央部や基端部の方が寸法精度が高く、更に角軸をギアに挿入する際の組立性を考慮して先端に面取り処理が施されているという特性がある。そのため、角軸に貫通されるギアは、該角軸の中央部や基端部側に位置することで、ハンドルの操作で角軸とともに該角軸の中心軸回りに良好に回転することができる。よって、ギアを貫通した角軸の先端部がスライダに干渉しないよう、ギアとスライダとの間に十分な間隙を設ける必要があった。
【００１２】
従って、ハンドルが戸先框の見込み面部内側に取り付けられた錠装置では、ギアとスライダとの間に十分な間隙が必要となる結果、装置全体の厚みが大きくなってしまい、仮に十分な間隙を確保するためにハンドルの台座部の厚みを大きくすると意匠性が悪くなってしまう問題があった。
【００１３】
本発明は、上記実情に鑑みて、取り付けられる框の面内方向内側から面内方向外側における装置全体の厚みを小さくすることができるとともに、意匠性の向上を図ることができる錠装置及びこの錠装置を備えた建具を提供することを目的とする。
【課題を解決するための手段】
【００１４】
上記目的を達成するために、本発明に係る錠装置は、カバー取付ネジによって框の見込み面に取り付けられるカバーと、操作部の操作に応じて中心軸回りに回転する角軸が自身の貫通孔を貫通するよう、前記カバーに取り付けられたベースの収納部に収納されて設けられ、かつ前記角軸とともに回転するギアと、前記ベースに対向するよう設けられ、かつ一部が屈曲されることで構成された屈曲片が前記ギアの周端部に形成された歯と噛合することで該ギアの回転に応じてスライド移動するスライダとを備え、前記スライダのスライド移動により開口枠に対して係合状態と非係合状態とに切り替えるようにした錠装置であって、前記スライダは、前記ギアを貫通した前記角軸の先端部が挿通する挿通孔を有して成り、前記収納部を構成し、かつ前記ギアと前記スライダとの互いに対向する面の間に介在してこれらが互いに接することを規制する規制部を備えたことを特徴とする。
【００１５】
これによれば、スライダは、ギアを貫通した角軸の先端部が挿通する挿通孔を有して成るので、これによりギアとスライダとを互いに近接させることができる。しかも、規制部がギアとスライダとの間に介在してこれらが互いに接することを規制するので、ギアの歯がスライダの挿通孔に干渉してしまうことを防止することができる。
【００１８】
また本発明は、上記錠装置において、前記挿通孔は、前記スライダのスライド移動方向に長尺な長孔形状を有し、前記規制部は、前記スライダのスライド移動方向の一方側及び他方側に向けてそれぞれ突出するよう設けたことを特徴とする。
【００１９】
これによっても、角軸やギアに対してスライダが相対的にスライド移動した際において、角軸の先端部やギアの縁がスライダと干渉することを確実に防止することができる。
【００２０】
また、本発明に係る建具は、開口枠と框との間に上記錠装置を適用したことを特徴とする。
【００２１】
これによれば、スライダは、ギアを貫通した角軸の先端部が挿通する挿通孔を有して成るので、これによりギアとスライダとを互いに近接させることができる。しかも、規制部がギアとスライダとの間に介在してこれらが互いに接することを規制するので、ギアの歯がスライダの挿通孔に干渉してしまうことを防止することができ、錠装置の面内方向内側から面内方向外側における大きさを小さくでき、またこれにより操作部の台座部等を大きくすることがない。
【発明の効果】
【００２２】
本発明によれば、ギアとスライダとを互いに近接させることができ、しかもギアの歯がスライダの挿通孔に干渉してしまうことがないので大きさを小さくでき、操作部の台座部等を大きくすることがない。よって、装置全体の厚みを小さくすることができ、意匠性の向上を図ることができるという効果を奏する。
【図面の簡単な説明】
【００２３】
【図１】本発明の実施の形態である錠装置が適用された建具、すなわち本実施の形態である建具を室内側から示す説明図である。
【図２】図１に示した縦框の見込み面内方向外側を示す説明図である。
【図３】図２のＡ−Ａ線断面図である。
【図４】図３に示した構成の分解斜視図である。
【図５】図４に示したハンドル機構部の分解斜視図である。
【図６】図５に示したハンドル機構部を構成するハンドルユニットの組み立て手順を示す説明図である。
【図７】図５に示したハンドル機構部を構成するハンドルユニットの組み立て手順を示す説明図である。
【図８】図５に示したハンドル機構部を構成するハンドルユニットの組み立て手順を示す説明図である。
【図９】図５に示したハンドル機構部を構成するハンドルユニットの組み立て手順を示す説明図である。
【図１０】図４に示した作動機構部の分解斜視図である。
【発明を実施するための形態】
【００２４】
以下に添付図面を参照しながら、本発明に係る錠装置及び建具の好適な実施の形態について詳細に説明する。
【００２５】
図１は、本発明の実施の形態である錠装置が適用された建具、すなわち本実施の形態である建具を室内側から示す説明図である。ここで例示する建具は、開口枠１０と障子２０とを備えて構成してある。
【００２６】
開口枠１０は、アルミニウムの押し出し材である上枠１１、下枠１２及び一対の縦枠１３ａ，１３ｂを四周枠組みすることによって構成した矩形状を成すものである。障子２０は、アルミニウムの押し出し材である上框２１、下框２２及び一対の縦框２３ａ，２３ｂを四周框組みし、かつこれら上框２１、下框２２及び一対の縦框２３ａ，２３ｂの間にガラス板等の面材２４を配設することによって構成したものである。
【００２７】
このような障子２０は、開口枠１０の内部に配置された場合に開口枠１０の開口を閉塞することのできる大きさに構成してある。本実施の形態の障子２０は、一方の縦框２３ａと一方の縦枠１３ａとの間に介在させたヒンジ１によって開口枠１０に支持させてあり、上下方向に沿ったヒンジ１軸の軸回りに回転することによって開口枠１０の開口を開閉することが可能である。
【００２８】
図２は、図１に示した縦框の見込み面内方向外側を示す説明図であり、図３は、図２のＡ−Ａ線断面図であり、図４は、図３に示した構成の分解斜視図である。
【００２９】
上記障子２０には、図１〜図４に示すように、戸先側に位置する縦框（以下、戸先框ともいう）２３ｂにおいて開口枠１０の縦枠１３ｂに対向する外側の見込み面（以下、戸先面ともいう）２３ｂ１にスライドガイド２５が設けてあるとともに、該戸先框２３ｂにおける内側の見込み面（以下、内側見込み面ともいう）２３ｂ２にハンドル取付凹部２６及びボタン取付凹部２７が設けてある。尚、本実施の形態においては、戸先框２３ｂにおける面材２４側を面内方向内側とし、戸先框２３ｂにおける縦枠１３ｂ側を面内方向外側とも適宜称して説明する。
【００３０】
スライドガイド２５は、戸先框２３ｂの戸先面２３ｂ１において室内側に位置する領域に長手方向に沿って設けたものである。このスライドガイド２５は、戸先框２３ｂと一体であり、戸先框２３ｂを押し出し成形する際に同時に成形したものである。
【００３１】
ハンドル取付凹部２６は、内側見込み面２３ｂ２においてスライドガイド２５の反対側に設けてあり、該凹部の底部分には通過孔２６ａが形成してある。ボタン取付凹部２７は、ハンドル取付凹部２６の下方側に設けてある。
【００３２】
また、この障子２０には、図１〜図４に示すように、戸先框２３ｂに錠装置３０が設けてある。錠装置３０は、開口枠１０の縦枠１３ｂに設けた図示せぬロック受部に対して係合状態と非係合状態とに切り替わり、係合状態となった場合に開口枠１０に対して障子２０を閉じた状態に維持するためのもので、ハンドル機構部４０及び作動機構部６０を備えて構成してある。
【００３３】
図５は、図４に示したハンドル機構部の分解斜視図である。ここで例示するハンドル機構部４０は、いわゆるフリップハンドルと称されるもので、ハンドルユニット４０ａ及びボタンユニット５０ａを備えて構成してあり、ハンドルベース３１を介して戸先框２３ｂの内側見込み面２３ｂ２に取り付けられるものである。ここでハンドルベース３１は、上下方向が長手方向となる長尺状のものであり、ハンドルユニット４０ａ及びボタンユニット５０ａのそれぞれの構成要素が貫通する開口が形成してある。
【００３４】
ハンドルユニット４０ａは、操作ハンドル（操作部）４１、角軸構成部４２及び一対のワッシャー４３ａ，４３ｂを備えて構成してある。操作ハンドル４１は、操作者が把持する把持部４１ａを有するとともに、基端部には面内方向外側（角軸構成部４２側）に突出する２つのハンドル取付片４１ｂが設けてある。これらハンドル取付片４１ｂには、取付孔４１ｃが形成してある。
【００３５】
角軸構成部４２は、平板状の基部４２ａと、該基部４２ａから面内方向外側に突出する四角柱状の角軸４２ｂと、該基部４２ａから面内方向内側（操作ハンドル４１側）に突出する２つの角軸取付片４２ｃとを有して成るものである。これら角軸取付片４２ｃは、上記ハンドル取付片４１ｂよりも幅狭に形成されており、それぞれに取付孔４２ｄが形成してある。基部４２ａには、径外側に突出する規制突起４２ａ１が形成してある。規制突起４２ａ１は、操作ハンドル４１の回転を約９０°で停止させるためのものである。
【００３６】
一対のワッシャー４３ａ，４３ｂは、それぞれ弾性材料から形成され、角軸構成部４２を面内方向内側と面内方向外側とから挟み込む（錠装置３０の厚み方向で挟み込む）よう設けてある。これら一対のワッシャー４３ａ，４３ｂは、互いに嵌合可能なようにそれぞれに嵌合凹凸が設けてある。また、一対のワッシャー４３ａ，４３ｂのうち面内方向内側のワッシャー（以下、第１ワッシャーともいう）４３ａには、面内方向内側に突出する抜止片４３ａ１が形成してあり、面内方向外側のワッシャー（以下、第２ワッシャー４３ｂともいう）には、上記角軸４２ｂが貫通可能な角孔４３ｂ１が形成してある。図５中の符号４４及び４５は、それぞれ角軸ベース及び角軸カバーであり、角軸ベース４４には、角軸４２ｂが貫通可能な孔が形成してあり、角軸カバー４５には、第１ワッシャー４３ａの抜止片４３ａ１及び角軸構成部４２の角軸取付片４２ｃが貫通可能な孔が形成してある。また、角軸ベース４４には、上方に突出する係止突起４４ａが設けてある。
【００３７】
図６〜図９は、それぞれ図５に示したハンドル機構部を構成するハンドルユニットの組み立て手順を示す説明図である。これら図６〜図９を適宜参照しながらハンドルユニットの組み立て手順を説明する。尚、これら図６〜図９においては、ハンドルベース３１の図示を省略している。
【００３８】
図５に示す状態から図６に示すように、角軸構成部４２、第１ワッシャー４３ａ、角軸カバー４５及び操作ハンドル４１を重ね合わせる。このとき角軸カバー４５の孔を角軸構成部４２の角軸取付片４２ｃ及び第１ワッシャー４３ａの抜止片４３ａ１が貫通し、該角軸カバー４５の面内方向内側において角軸取付片４２ｃがハンドル取付片４１ｂの間において互いの取付孔４１ｃ，４２ｄが一致するようにする。尚、後述するピン部材４７が最初に通過する取付孔４２ｄと、第１ワッシャー４３ａの抜止片４３ａ１とが対向しないように、角軸４２ｂの中心軸回りに第１ワッシャー４３ａを回転させた状態で重ね合わせる。また、角軸取付片４２ｃ間にはねじりコイルバネ４６を挿入する。尚、この図６には示していないが、操作ハンドル４１は、ハンドルベース３１の面内方向内側から重ね合わせるようにしており、操作ハンドル４１と角軸カバー４５との間には、ハンドルベース３１が介在している。
【００３９】
図６に示す状態から、互いに重なり合ったハンドル取付片４１ｂ及び角軸取付片４２ｃの取付孔４１ｃ，４２ｄにピン部材４７を挿通させる。この場合において、ねじりコイルバネ４６の巻回部分にもピン部材４７を挿通させる。ここでピン部材４７は、頭部が拡径となっており、自身が取付孔４１ｃ，４２ｄを完全に貫通してしまうことがない。つまり、ピン部材４７を挿入する際に最初に通過する取付孔４１ｃにピン部材４７の頭部が係止されるため、ピン部材４７の挿入が完了した状態ではこの頭部が露出することになる。
【００４０】
このようにハンドル取付片４１ｂ及び角軸取付片４２ｃの取付孔４１ｃ，４２ｄをピン部材４７が挿通し、しかも角軸取付片４２ｃ間に挿入させたねじりコイルバネ４６の巻回部分にもピン部材４７が挿通する結果、操作ハンドル４１は、角軸構成部４２から離間するようピン部材４７の中心軸回りに付勢されることになる。
【００４１】
その後、図７に示すように、第１ワッシャー４３ａを角軸構成部４２における角軸４２ｂの中心軸回りに回転させて、第１ワッシャー４３ａをピン部材４７の頭部と対向させることで、抜止片４３ａ１がピン部材４７の頭部を覆うことができる。これにより、ピン部材４７が操作ハンドル４１の操作等により抜けてしまうことを防止することができる。
【００４２】
図７に示す状態から図８に示すように、第２ワッシャー４３ｂの角孔４３ｂ１及び角軸ベース４４の孔のそれぞれに角軸構成部４２の角軸４２ｂが相対的に進入するよう第２ワッシャー４３ｂ及び角軸ベース４４を組み合わせ、図９に示すように、第２ワッシャー４３ｂを第１ワッシャー４３ａに嵌合させつつ、角軸カバー４５を角軸ベース４４に嵌合させる。その後、図５に示すように、ハンドルユニット取付ネジ４８で互いに嵌合する角軸ベース４４及び角軸カバー４５をハンドルベース３１に取り付ける。
【００４３】
このような構成のハンドルユニット４０ａでは、操作ハンドル４１の操作により角軸構成部４２の角軸４２ｂが自身の中心軸回りに所定角度（０°〜９０°）の間で回転可能となっている。
【００４４】
ボタンユニット５０ａは、操作ボタン５１及びボタンベース５２を備えて構成してある。操作ボタン５１は、面内方向内側の面が操作者が操作する操作面となっており、面内方向外側に突出する２つのボタン取付片５１ａが設けてある。これらボタン取付片５１ａには、取付孔５１ｂが形成してあるとともに、上方に向けて突出するストップ片５１ｃが形成してある。このストップ片５１ｃは、ボタンの位置決めのためのものである。
【００４５】
ボタンベース５２は、中央部に操作ボタン５１のボタン取付片５１ａが進入可能な開口が形成してあるとともに、面内方向内側に向けて突出する２つのベース取付片５２ａが設けてある。これらベース取付片５２ａは、上記ボタン取付片５１ａよりも幅広に形成されており、それぞれに取付孔５２ｂが形成してある。
【００４６】
このような構成を有するボタンユニット５０ａは、ハンドルベース３１を介在させた状態で、ボタンベース５２及び操作ボタン５１を重ね合わせる。このときハンドルベース３１の開口をボタンベース５２のベース取付片５２ａが貫通し、ハンドルベース３１の面内方向内側においてボタン取付片５１ａがベース取付片５２ａの間において互いの取付孔５１ｂ，５２ｂが一致するようにする。また、ボタン取付片５１ａ間にはねじりコイルバネ５３を挿入する。そして、互いに重なり合ったボタン取付片５１ａ及びベース取付片５２ａの取付孔５１ｂ，５２ｂにピン部材５４を挿通させる。この場合において、ねじりコイルバネ５３の巻回部分にもピン部材５４を挿通させる。ここでピン部材５４は、頭部が拡径となっており、自身が取付孔５１ｂ，５２ｂを完全に貫通してしまうことがない。その後、ボタンベース取付ネジ５５でボタンベース５２をハンドルベース３１に取り付ける。
【００４７】
詳細な説明は割愛するが、このようなボタンユニット５０ａは、ねじりコイルバネ５３により、操作ボタン５１がピン部材５４の中心軸回りに面内方向内側に向けて付勢されている。従って、操作ボタン５１の上端部が操作ハンドル４１の下端部に係合している場合には、操作ボタン５１がねじりコイルバネ５３の付勢力によりピン部材５４の中心軸回りに回動することを規制している。その後、操作ボタン５１の操作面が操作者により押圧されて該操作ボタン５１がねじりコイルバネ５３の付勢力に抗してピン部材５４の中心軸回りに面内方向外側に向けて回動すると、該操作ボタン５１の上端部と操作ハンドル４１の下端部との係合状態が解除される。そうすると、操作ハンドル４１はフリーな状態となり、ねじりコイルバネ４６に付勢されてピン部材４７の中心軸回りに面内方向内側に向けて回動し、操作者が把持部４１ａを把持して操作ハンドル４１を操作することが可能になる。
【００４８】
上述したハンドルユニット４０ａ及びボタンユニット５０ａが取り付けられたハンドルベース３１は、図４に示すように、ハンドル取付凹部２６及びボタン取付凹部２７を覆うよう図示せぬネジにより戸先框２３ｂの内側見込み面２３ｂ２に取り付けられている。このとき、ハンドルユニット４０ａを構成する角軸４２ｂがハンドル取付凹部２６の開口２６ａを貫通している。また、角軸ベース４４の係止突起４４ａを戸先框２３ｂにおけるハンドル取付凹部２６の上縁部に係止させてある。
【００４９】
作動機構部６０は、図３及び図４に示すように、戸先框２３ｂの戸先面２３ｂ１のスライドガイド２５に取り付けてあり、図１０に示すように、カバー６１、ベース６２、ギア６３及びスライダ６４を備えて構成してある。
【００５０】
カバー６１は、カバー取付ネジ６１ａ（図２参照）によって戸先框２３ｂのスライドガイド２５に取り付けられ、該戸先框２３ｂとの間に移動空間を確保するものである。
【００５１】
ベース６２は、ベース取付ネジ６２ａによってカバー６１に移動空間を確保するよう取り付けられており、その中央部にハンドル機構部４０を構成する角軸４２ｂが貫通することを許容する円孔６２ｂが形成してある。このようなベース６２には、該円孔６２ｂが形成された個所の面内方向外側に、すなわちカバー６１側にギア６３を収納する収納部６２ｄが形成してある。
【００５２】
収納部６２ｄは、室外側（室内外方向一方側）からギア６３の進入を許容するものであり、面内方向外側端部の上端部及び下端部には、それぞれ下方及び上方に向けて突出する規制片６２ｄ１，６２ｄ２が一体的に設けてある。
【００５３】
ギア６３は、円板状を成しており、その周端面に歯が形成してある。このギア６３の中心部には、角状の貫通孔６３ａが形成してある。この貫通孔６３ａは、ベース６２の円孔６２ｂを貫通するハンドル機構部４０の角軸４２ｂに適合する大きさを有している。このようなギア６３は、該角軸４２ｂが中心軸回りに回転することにより、該角軸４２ｂと一体的に回転するものである。ここで角軸４２ｂは、上述したように操作ハンドル４１の操作により所定の角度の間で回転するものであるから、ギア６３も操作ハンドル４１の操作によって角軸４２ｂとともに回転するものである。
【００５４】
スライダ６４は、上下方向（スライド移動方向）が長手方向となる長尺状部材であり、適宜屈曲加工を施すことにより構成してある。このスライダ６４は、室外側端部（室内外方向一方側端部）が面内方向内側に屈曲する屈曲片６４ａが形成してあり、かかる屈曲片６４ａには、ギア６３の歯の一部と噛合可能な係止孔６４ａ１が上下方向（スライド移動方向）に沿って複数形成してある。
【００５５】
このようなスライダ６４は、屈曲片６４ａの係止孔６４ａ１がギア６３の歯の一部と噛合しており、ギア６３が角軸４２ｂの中心軸回りに所定角度の間で回転することにより上下方向に沿ってスライド移動することになる。また、スライダ６４の上端部及び下端部には、それぞれピン６５を介してロッキングバー６６が連結してあり、これらロッキングバー６６にはそれぞれロックピン６７が固定されており、戸先框２３ｂに固定されたバーガイド６８内をロッキングバー６６が挿通可能に装着してある。このようなロッキングバー６６及びバーガイド６８の構成は従来公知のものであり、障子２０の開閉に応じて縦枠１３ｂに設けられた図示せぬロック受部にロックピン６７が進入あるいは離脱することを許容若しくは規制するものである。
【００５６】
上記スライダ６４には、その中央部に上下方向（スライダ６４のスライド移動方向）が長手方向となる挿通孔６４ｂが形成してある。この挿通孔６４ｂは、ギア６３の貫通孔６３ａを貫通する角軸４２ｂの先端部を挿通させるためのものである。また、上下方向が長手方向となるようにしてあるのは、該挿通孔６４ｂを角軸４２ｂの先端部が挿通した状態で、スライダ６４が上下方向に沿ってスライド移動できるようにしたためである。
【００５７】
以上のような構成を有する錠装置３０においては、開口枠１０に対して障子２０を閉じた状態から操作ハンドル４１を下方側に向けて約９０°操作すると、ギア６３が角軸４２ｂとともに回転してスライダ６４が縦框（戸先框）２３ｂに対して例えば上方に向けてスライド移動し、これによりロッキングバー６６も上方に向けてスライド移動し、開口枠１０の縦枠１３ｂに設けたロック受部からロックピン６７が離脱することを規制することで該開口枠１０に係合した係合状態となる。これにより、開口枠１０に対して障子２０を閉じた状態に維持することができる。
【００５８】
一方、上述した状態から操作ハンドル４１を上方側に向けて約９０°操作すると、ギア６３が角軸４２ｂとともに回転してスライダ６４が縦框２３ｂに対して例えば下方に向けてスライド移動し、これによりロッキングバー６６も下方に向けてスライド移動し、ロック受部からロックピン６７が離脱することを許容することで障子２０が開口枠１０から解除された非係合状態となる。従って、障子２０を開方向に移動させれば、開口枠１０に対して障子２０を開けることができる。
【００５９】
ところで、上述した錠装置３０では、スライダ６４に挿通孔６４ｂが形成してあるので、ギア６３の貫通孔６３ａを貫通した角軸４２ｂの先端部を挿通させることができ、これによりギア６３とスライダ６４とを互いに近接させることができる。しかもベース６２の収納部６２ｄには、規制片６２ｄ１，６２ｄ２が設けてあるので、かかる規制片６２ｄ１，６２ｄ２がギア６３とスライダ６４との間に介在してこれらが互いに接することを規制するので、例えばギア６３の歯がスライダ６４の挿通孔６４ｂに干渉してしまうことを防止することができる。
【００６０】
従って、本実施の形態である錠装置３０によれば、ギア６３とスライダ６４とを互いに近接させることができ、しかもギア６３の歯がスライダ６４の挿通孔６４ｂに干渉してしまうことがないので、戸先框２３ｂの面内方向内側から面内方向外側における大きさを小さくでき、またこれにより操作ハンドル４１の台座部等を大きくすることがない。よって、戸先框２３ｂの面内方向内側から面内方向外側における装置全体の厚みを小さくすることができるとともに、意匠性の向上を図ることができる。
【００６１】
以上、本発明の好適な実施の形態について説明したが、本発明はこれに限定されるものではなく、種々の変更を行うことができる。すなわち、上述した実施の形態では、ギア６３とスライダ６４との間に介在し、かつこれらが互いに接することを規制する規制片６２ｄ１，６２ｄ２がベース６２に設けてあったが、本発明においては、ギア６３とスライダ６４との間に介在し、かつこれらが互いに接することを規制する規制部は、ベース６２に設けられている必要はなく、種々の個所に設けることができる。
【符号の説明】
【００６２】
１０  開口枠
２０  障子
２３ｂ  縦框（戸先框）
２３ｂ１  戸先面
２３ｂ２  内側見込み面
３０  錠装置
４０  ハンドル機構部
４０ａ  ハンドルユニット
４１  操作ハンドル（操作部）
４２  角軸構成部
４３ａ  第１ワッシャー
４２ｂ  角軸
５０ａ  ボタンユニット
６０  作動機構部
６１  カバー
６１ａ  カバー取付ネジ
６２  ベース
６２ａ  ベース取付ネジ
６２ｂ  円孔
６２ｄ  収納部
６２ｄ１  規制片
６２ｄ２  規制片
６３  ギア
６３ａ  貫通孔
６４  スライダ
６４ａ  屈曲片
６４ａ１  係止孔
６４ｂ  挿通孔
６６  ロッキングバー
６８  バーガイド
【図１】
0005457330.tif 000002
【図２】
0005457330.tif 000003
【図３】
0005457330.tif 000004
【図４】
0005457330.tif 000005
【図５】
0005457330.tif 000006
【図６】
0005457330.tif 000007
【図７】
0005457330.tif 000008
【図８】
0005457330.tif 000009
【図９】
0005457330.tif 000010
【図１０】
0005457330.tif 000011